(57)【要約】 【課題】入力映像信号を外部リファレンス信号に同期して処理する映像機器において、入力映像信号のジッタ／ワンダの量を常時簡単に測定する。【解決手段】入力映像信号から復調したクロックに同期して入力映像信号が書き込まれ、外部リファレンス信号から生成した機器内部の基準クロックに同期して映像信号が読み出される位相補償用のＦＩＦＯメモリ１５と、ＦＩＦＯメモリ１５内の映像信号のデータ量を求め、求めたデータ量と所定の基準量との差分を算出することに基づいて、入力映像信号のジッタ／ワンダの量を測定する測定手段１６とを備える。【選択図】図３
2008148239.tif 000002
【特許請求の範囲】
【請求項１】
入力映像信号を外部リファレンス信号に同期して処理する映像機器において、
入力映像信号から復調したクロックに同期して入力映像信号が書き込まれ、外部リファレンス信号から生成した機器内部の基準クロックに同期して映像信号が読み出される位相補償用のＦＩＦＯメモリと、
前記ＦＩＦＯメモリ内の映像信号のデータ量を求め、求めたデータ量と所定の基準量との差分を算出することに基づいて、入力映像信号のジッタ／ワンダの量を測定する測定手段と
を備えたことを特徴とする映像機器。
【請求項２】
請求項１に記載の映像機器において、
前記測定手段は、算出した前記差分の最大値をピークホールドする
ことを特徴とする映像機器。
【請求項３】
請求項１に記載の映像機器において、
前記測定手段は、算出した前記差分を、ジッタ／ワンダの量を複数段階のレベルに分類した値に変換する
ことを特徴とする映像機器。
【請求項４】
請求項１に記載の映像機器において、
前記ＦＩＦＯメモリ内のデータ量を、周期的に前記所定の基準量にリセットするリセット手段
をさらに備えたことを特徴とする映像機器。
【請求項５】
入力映像信号を外部リファレンス信号に同期して処理する映像機器における、入力映像信号のジッタ／ワンダの測定方法において、
ＦＩＦＯメモリに、入力映像信号から復調したクロックに同期して入力映像信号を書き込み、前記ＦＩＦＯメモリから、外部リファレンス信号から生成した機器内部の基準クロックに同期して映像信号を読み出す第１のステップと、
前記ＦＩＦＯメモリ内の映像信号のデータ量を求め、求めたデータ量と所定の基準量との差分を算出することに基づいて、入力映像信号のジッタ／ワンダの量を測定する第２のステップと
を有することを特徴とするジッタ／ワンダの測定方法。
【請求項６】
請求項５に記載のジッタ／ワンダの測定方法において、
前記第２のステップで、算出した前記差分の最大値をピークホールドする
ことを特徴とするジッタ／ワンダの測定方法。
【請求項７】
請求項５に記載のジッタ／ワンダの測定方法において、
前記第２のステップで、算出した前記差分を、ジッタ／ワンダの量を複数段階のレベルに分類した値に変換する
ことを特徴とするジッタ／ワンダの測定方法。
【請求項８】
請求項５に記載のジッタ／ワンダの測定方法において、
前記ＦＩＦＯメモリ内のデータ量を、周期的に前記所定の基準量にリセットする第３のステップ
をさらに有することを特徴とするジッタ／ワンダの測定方法。
【発明の詳細な説明】
【技術分野】
【０００１】
本発明は、入力映像信号を外部リファレンス信号に同期して処理する映像機器における、ジッタ／ワンダの測定方法に関する。
【背景技術】
【０００２】
映像制作等の分野では、複数の映像機器をリファレンス信号に同期させたビデオ同期システムを構築することが一般的に行われている。図１は、そうしたビデオ同期システムの概要を例示するブロック図である。複数台のビデオカメラ５０と、スイッチャー６０と、複数台のＶＴＲ７０とに、リファレンス信号発生器８０から外部リファレンス信号ｒｅｆが供給される。
【０００３】
各ビデオカメラ５０は、外部リファレンス信号ｒｅｆからＰＬＬ５１で生成したクロックを機器内部の基準クロックとして、撮像系及び映像信号処理系（図示略）で生成したパラレル・デジタル映像データを、ＳＤＩ出力回路５２でＳＤＩ（Serial Digital Interface）フォーマットのシリアル・デジタル信号（以下ＳＤＩ信号と呼ぶ）に変換してスイッチャー６０に出力する。
【０００４】
スイッチャー６０は、複数の映像機器からの入力映像信号をそれぞれどの映像機器に対して出力するかを切り替える映像機器である。スイッチャー６０は、外部リファレンス信号ｒｅｆからＰＬＬ６１で生成したクロックを機器内部の基準クロックとして、各ビデオカメラ５０から入力したＳＤＩ信号を、それぞれＳＤＩ入力回路６２で元のパラレル・デジタル映像データに復号し、信号切替部６３で切り替えた後、ＳＤＩ出力回路６４で再びＳＤＩ信号に変換して各ＶＴＲ７０に出力する。
【０００５】
ＶＴＲ７０は、外部リファレンス信号ｒｅｆからＰＬＬ７１で生成したクロックを機器内部の基準クロックとして、スイッチャー６０から入力したＳＤＩ信号を、ＳＤＩ入力回路７２で元のパラレル・デジタル映像データに復号し、記録用の映像信号処理系（図示略）でビデオテープに記録する。
【０００６】
ところで、こうしたビデオ同期システムでは、映像機器間の授受される映像信号（図１ではＳＤＩ信号）が大量のジッタ／ワンダを持っていると、映像信号の入力側の映像機器（図１ではスイッチャー６０やＶＴＲ７０）の内部でそのジッタ／ワンダを吸収しきれず、映像データが損なわれることがある。
【０００７】
これに対し、従来から、ジッタ／ワンダを測定するための専用の測定器を用いたシステムデバッグが行われている。しかし、以下に１）〜４）として挙げる理由から、ジッタ／ワンダの発生原因の特定に梃子摺ることも少なくない。そのため、対策が遅れ被害が大きくなってしまう。
【０００８】
１）図１に例示したように、各映像機器は外部リファレンス信号ｒｅｆから各々のＰＬＬで生成した機器内部の基準クロックに同期して動作するので、それらの基準クロック同士のずれによってジッタ／ワンダが発生することがある。
【０００９】
２）ジッタの許容量についてはＳＭＰＴＥに規格値が存在するが、ワンダについては、規格値がないため、映像機器の耐性も不明確である。
【００１０】
３）発生頻度の少ないジッタ／ワンダや、突発的に発生するジッタ／ワンダ（例えば、一時的な電源ノイズを原因とするジッタ／ワンダ）については、測定器で測定しているときに発生するとは限らないので、測定が困難である。
【００１１】
４）リファレンス信号発生器と映像機器とを結ぶケーブルの接触不良等によってリファレンス信号が供給されなくなったとき（リファレンス障害時）には、巨大なジッタ／ワンダに類似する現象が発生することがある。
【００１２】
なお、文献上、外部からの伝送信号をデマルチプレクスするＤＭＵＸ部で生成したクロックを書き込みクロックとしてそのデマルチプレクスしたデータをバッファメモリに書き込むとともに、ＤＭＵＸ部で生成したクロックを平滑化したクロックを読み出しクロックとしてこのバッファメモリからデータを読み出し、このバッファメモリへの書き込みタイミングと読み出しタイミングが近い位相又は遠い位相があった場合のみカウントアップを行い、長時間の観測の結果、書き込みタイミングに対する読み出しタイミングが近い位相のときの＋側カウント値と書き込みタイミングに対する読み出しタイミングが遠い位相のときの−側カウント値との割合が均等になっているか否かによって、ワンダの発生の有無を判断するような光伝送通信装置も提案されている（特許文献１参照）。
【００１３】
しかし、上記特許文献１に記載のような＋側カウント値と−側カウント値との比較では、ジッタが発生している場合には＋側カウント値と−側カウント値との割合がほぼ等しくなることもあるので、ジッタの発生の有無を判断することは困難である。
【００１４】
また、上記特許文献１に記載の光伝送通信装置は、ビデオ同期システムに組み込まれておらず、外部リファレンス信号に同期して動作してもいない。
【００１５】
【特許文献１】特開２００３−３２２１２号公報
【発明の開示】
【発明が解決しようとする課題】
【００１６】
本発明は、上述の点に鑑み、入力映像信号を外部リファレンス信号に同期して処理する映像機器（すなわちビデオ同期システムに組み込むことのできる映像機器）において、入力映像信号のジッタ／ワンダの量を常時簡単に測定できるようにすることを課題とする。
【課題を解決するための手段】
【００１７】
上記課題を解決するために、本発明は、入力映像信号を外部リファレンス信号に同期して処理する映像機器において、
入力映像信号から復調したクロックに同期して入力映像信号が書き込まれ、外部リファレンス信号から生成した機器内部の基準クロックに同期して映像信号が読み出される位相補償用のＦＩＦＯメモリと、
前記ＦＩＦＯメモリ内の映像信号のデータ量を求め、求めたデータ量と所定の基準量との差分を算出することに基づいて、入力映像信号のジッタ／ワンダの量を測定する測定手段と
を備えたことを特徴とする。
【００１８】
また、本発明は、入力映像信号を外部リファレンス信号に同期して処理する映像機器における、入力映像信号のジッタ／ワンダの測定方法において、
ＦＩＦＯメモリに、入力映像信号から復調したクロックに同期して入力映像信号を書き込み、前記ＦＩＦＯメモリから、外部リファレンス信号から生成した機器内部の基準クロックに同期して映像信号を読み出す第１のステップと、
前記ＦＩＦＯメモリ内の映像信号のデータ量を求め、求めたデータ量と所定の基準量との差分を算出することに基づいて、入力映像信号のジッタ／ワンダの量を測定する第２のステップと
を有することを特徴とする。
【００１９】
本発明によれば、入力映像信号から復調したクロックを書き込みクロックとし、外部リファレンス信号から生成した機器内部の基準クロックを読み出しクロックとする位相補償用のＦＩＦＯメモリに、現在蓄積されている映像信号のデータ量が求められる。そして、求めたデータ量と所定の基準量との差分を算出することに基づいて、入力映像信号のジッタ／ワンダの量が測定される。
【００２０】
このような位相補償用のＦＩＦＯメモリ内のデータ量の基準量との差分から、映像信号の出力側の映像機器と入力側の映像機器との間の相対的なジッタ／ワンダの量を、常時簡単に測定することができる。
【発明の効果】
【００２１】
本発明によれば、映像信号の出力側の映像機器と入力側の映像機器との間の相対的なジッタ／ワンダの量を、常時簡単に測定することができるという効果が得られる。
【発明を実施するための最良の形態】
【００２２】
以下、本発明の実施の形態を、図面を用いて具体的に説明する。図２は、本発明を適用したスイッチャーを組み込んだビデオ同期システムの概要を示す図であり、図１と共通する部分には同一符号を付している。複数台のビデオカメラ５０と、スイッチャー１と、ＶＴＲ７０とに、リファレンス信号発生器８０から外部リファレンス信号ｒｅｆが供給される。
【００２３】
各ビデオカメラ５０は、外部リファレンス信号ｒｅｆからＰＬＬ５１で生成したクロックを機器内部の基準クロックとして、撮像系及び映像信号処理系（図示略）で生成したパラレル・デジタル映像データを、ＳＤＩ出力回路５２でＳＤＩ信号に変換してスイッチャー１に出力する。
【００２４】
スイッチャー１は、複数の映像機器からの入力映像信号をそれぞれどの映像機器に対して出力するかを切り替える映像機器である。スイッチャー１は、外部リファレンス信号ｒｅｆからＰＬＬ６１で生成したクロックを機器内部の基準クロックとして、各ビデオカメラ５０から入力したＳＤＩ信号を、それぞれＳＤＩ入力回路２で元のパラレル・デジタル映像データに復号し、信号切替部６３で切り替えた後、ＳＤＩ出力回路６４で再びＳＤＩ信号に変換して各ＶＴＲ７０に出力する。
【００２５】
スイッチャー１内の各部を制御するＣＰＵ３は、ネットワーク・インタフェース（図示略）を介して、ＬＡＮ（ローカルエリアネットワーク）４に接続されている。ＬＡＮ４には、パーソナルコンピュータから成るメンテナンス用端末５も接続されている。
【００２６】
各ＶＴＲ７０は、外部リファレンス信号ｒｅｆからＰＬＬ７１で生成したクロックを機器内部の基準クロックとして、スイッチャー１から入力したＳＤＩ信号を、ＳＤＩ入力回路７２で元のパラレル・デジタル映像データに復号し、記録用の映像信号処理系（図示略）でビデオテープに記録する。
【００２７】
図３は、スイッチャー１の各ＳＤＩ入力回路２の構成を、ＣＰＵ３及びＰＬＬ６１とともに示すブロック図である。ＳＤＩ入力回路２には、クロックリカバリユニット１１と、Ｓ−Ｐ（シリアル−パラレル）変換回路１２と、位相補償ＦＩＦＯ１５と、位相差判定回路１６と、ピークホールド回路１７と、復調回路１８とが設けられている。
【００２８】
クロックリカバリユニット１１は、ビデオカメラ５０から入力したＳＤＩ信号からシリアルデータ用のクロック（ＳＤ−ＳＤＩ信号では２７０Ｍｂｐｓ、ＨＤ−ＳＤＩ信号では１．４８５Ｇｂｐｓまたはその１／１．００１のクロック）を復調して、その復調クロックをＳＤＩ信号とともにＳ−Ｐ変換回路１２に送る。
【００２９】
Ｓ−Ｐ変換回路１２は、クロックリカバリユニット１１からのＳＤＩ信号をパラレル変換して位相補償ＦＩＦＯ１５に送るとともに、クロックリカバリユニット１１からの復調クロックをパラレルデータの周波数に変換して位相補償ＦＩＦＯ１５に送る。
【００３０】
位相補償ＦＩＦＯ１５は、映像信号の出力側の映像機器（図２ではビデオカメラ５０）とスイッチャー１との間の相対的なジッタ／ワンダを吸収するための１２段のＦＩＦＯメモリであり、デュアルポートＲＡＭ２０と、ライトアドレスジェネレータ２１と、アドレスコントローラ２２と、リードアドレスジェネレータ２３とで構成されている。
【００３１】
デュアルポートＲＡＭ２０の一方のポートＤには、Ｓ−Ｐ変換回路１２からのパラレル・デジタル映像データが入力する。
【００３２】
ライトアドレスジェネレータ２１は、アドレスコントローラ２２の制御のもとで、Ｓ−Ｐ変換回路１２で生成された復調クロックに同期して、デュアルポートＲＡＭ２０にライトアドレス（前述の１２段のうちの１つを指定する値）を与える。
【００３３】
デュアルポートＲＡＭ２０は、Ｓ−Ｐ変換回路１２で生成された復調クロックに同期して、ポートＤに入力するパラレル・デジタル映像データを、このライトアドレスの領域に書き込む。
【００３４】
また、位相補償ＦＩＦＯ１５には、ＰＬＬ６１から機器内部の基準クロックが与えられる。リードアドレスジェネレータ２３は、アドレスコントローラ２２の制御のもとで、この基準クロックに同期して、デュアルポートＲＡＭ２０にリードアドレス（前述の１２段のうちの１つを指定する値）を与える。
【００３５】
デュアルポートＲＡＭ２０は、この基準クロックに同期して、このリードアドレスの領域から読み出したパラレル・デジタル映像データを、もう一方のポートＱから出力して、復調回路１８に送る。復調回路１８は、ポートＱからのデータをＮＲＺ(Non Return to Zero)に変換した後、デスクランブルすることによって本来のパラレル・デジタル映像データを復号して、そのパラレル・デジタル映像データをスイッチャー１内の信号切替部（図示略）に送る。
【００３６】
また、ＣＰＵ３は、外部リファレンス信号ｒｅｆに基づき、毎フレーム、垂直ブランキング期間中のＳＭＰＴＥによるビデオスイッチングポイントのタイミングで、位相補償ＦＩＦＯ１５の位相を補正する（デュアルポートＲＡＭ２０のライトアドレスとリードアドレスとが１２段のＦＩＦＯメモリの対極するアドレスになるように設定する）位相補正信号をアドレスコントローラ２２に与える。
【００３７】
アドレスコントローラ２２は、毎フレーム、この位相補正信号が与えられたタイミングで、ライトアドレスジェネレータ２１，リードアドレスジェネレータ２３を制御して、ライトアドレスとリードアドレスとが１２段のＦＩＦＯメモリの対極するアドレスになるように設定する（例えばライトアドレスが１段目を指し示すときにリードアドレスに７段目を指定する値を設定する）。
【００３８】
図４は、この位相補償ＦＩＦＯ１５での位相補償の様子を概念的に示す図である。毎フレーム、前述の位相補正信号が与えられたタイミングで、ライトアドレスとリードアドレスとが１２段のＦＩＦＯメモリの対極するアドレスになるように、例えばライトアドレスが１段目を指し示すときにリードアドレスに７段目を指定する値を設定する。そして、入力ＳＤＩ信号からの復調クロックを書き込みクロックとして、パラレル・デジタル映像データが１段目，２段目，…に順次書き込まれていく。また、機器内部の基準クロックを読み出しクロックとして、７段目，８段目，…から順次パラレル・デジタル映像データが読み出されていく。
【００３９】
映像信号の出力側の映像機器（図２ではビデオカメラ５０）とスイッチャー１との間に相対的なジッタ／ワンダが存在すると、リードアドレスとライトアドレスとの差（すなわちＦＩＦＯメモリ内のデータ量）が中央値６よりも大きくなったり小さくなるが、リードアドレスとライトアドレスとが同じにならない範囲であれば、この相対的なジッタ／ワンダを吸収することができる。
【００４０】
図３の位相差判定回路１６，ピークホールド回路１７にも、ＰＬＬ６１から機器内部の基準クロックが与えられる。位相差判定回路１６は、常時、ライトアドレスジェネレータ２１からのライトアドレスとリードアドレスジェネレータ２３からのリードアドレスとの差（すなわちＦＩＦＯメモリに蓄積されているデータ量）Ｘを求め、求めたデータ量Ｘと中央値６との差分の絶対値Ｙ＝｜６−Ｘ｜を算出する回路である。
【００４１】
ピークホールド回路１７は、位相差判定回路１６によって算出された絶対値Ｙの最大値をピークホールドする回路である。ピークホールド回路１７は、ホールド時間を任意に設定可能になっており、またＣＰＵ３の制御によって任意のタイミングでピークホールド値をクリアさせることが可能になっている。
【００４２】
各ＳＤＩ入力回路２内のピークホールド回路１７からは、ピークホールドしている絶対値Ｙを示す信号が、ＣＰＵ３に送られる。ＣＰＵ３は、各ピークホールド回路１７から送られた絶対値Ｙを、それぞれ、ジッタ／ワンダの量を５段階のレベルに分類した４ビットの値に変換する。
【００４３】
すなわち、ＣＰＵ３は、図５に示すように、絶対値Ｙが０または１であれば、ジッタ／ワンダが発生していないという測定結果を示す２進数の値００００に変換する。絶対値Ｙが２であれば、ジッタ／ワンダの量が少ないという測定結果を示す値０００１に変換する。絶対値Ｙが３であれば、ジッタ／ワンダが許容できる限界量であるという測定結果を示す値００１１に変換する。絶対値Ｙが４であれば、ジッタ／ワンダの量が多過ぎるので対策が必要であるという測定結果を示す値０１１１に変換する。絶対値Ｙが５または６であれば、表示画像にノイズが発生するほどのジッタ／ワンダの量に達しているという測定結果を示す値１１１１に変換する。
【００４４】
図２のメンテナンス用端末５では、スイッチャー１のメンテナンスのための操作の一つとして、複数台ビデオカメラ５０のうちの任意のビデオカメラ５０を指定して、そのビデオカメラ５０とスイッチャー１との間の相対的なジッタ／ワンダの測定結果を画面表示させる操作を行うことが可能になっている。この操作が行われると、メンテナンス用端末５からは、ＬＡＮ４を介してスイッチャー１内のＣＰＵ３にジッタ／ワンダの測定結果が要求される。
【００４５】
ＣＰＵ３は、この要求があると、指定されたビデオカメラ５０に対応しているＳＤＩ入力回路２内のピークホールド回路１７からの絶対値Ｙを図５のように変換した４ビットの値を、メンテナンス用端末５に返送する。
【００４６】
メンテナンス用端末５では、この返送された４ビットの値に基づき、ジッタ／ワンダの測定結果を、レベルメータで画面表示する。すなわち、返送された値が００００であれば、図６（ａ）に示すように、ジッタ／ワンダが発生していないことを青色で表示する。返送された値が０００１であれば、図６（ｂ）に示すように、ジッタ／ワンダの量が少ないことを示す緑色の表示を追加する。返送された値が００１１であれば、図６（ｃ）に示すように、ジッタ／ワンダが許容できる限界量であることを示す黄色の表示をさらに追加する。返送された値が０１１１であれば、図６（ｄ）に示すように、ジッタ／ワンダの量が多過ぎるので対策が必要であることを示す橙色の表示をさらに追加する。返送された値が１１１１であれば、図６（ｅ）に示すように、表示画像にノイズが発生するほどのジッタ／ワンダの量に達していることを示す赤色の表示をさらに追加する。
【００４７】
また、メンテナンス用端末５では、任意のＳＤＩ入力回路２を指定して、そのＳＤＩ入力回路２内のピークホールド回路１７のホールド時間を設定する操作や、そのピークホールド回路１７のピークホールド値をクリアする操作を行うことが可能になっている。この操作が行われると、メンテナンス用端末５からは、ＬＡＮ４を介してスイッチャー１内のＣＰＵ３にホールド時間の設定やピークホールド値のクリアが要求される。
【００４８】
ＣＰＵ３は、この要求があると、指定されたＳＤＩ入力回路２内のピークホールド回路１７を制御して、ホールド時間を設定したりピークホールド値をクリアする。
【００４９】
このスイッチャー１によれば、入力映像信号（ＳＤＩ信号）から復調したクロックを書き込みクロックとし、外部リファレンス信号ｒｅｆから生成した機器内部の基準クロックを読み出しクロックとする位相補償ＦＩＦＯ１５に、現在蓄積されているデータ量が求められ、そのデータ量と基準量（中央値である６）との差分を算出することに基づいて、入力映像信号のジッタ／ワンダの量が測定される。
【００５０】
このような位相補償ＦＩＦＯ１５内のデータ量の基準量との差分から、ＳＤＩ信号の出力側の映像機器（図２ではビデオカメラ５０）とスイッチャー１との間の相対的なジッタ／ワンダの量を、ローコストで常時簡単に測定することができる。
【００５１】
また、算出した差分の最大値をピークホールドするので、ホールド時間を長く設定したりピークホールド値をクリアしないことにより、発生頻度の少ないジッタ／ワンダが発生した場合や突発的なジッタ／ワンダが発生した場合（例えば、一時的な電源ノイズを原因としてジッタ／ワンダが発生した場合）にも、その痕跡をピークホールド値として残すことができる。これにより、発生頻度の少ないジッタ／ワンダや突発的に発生するジッタ／ワンダも測定することができる。
【００５２】
また、図４に示したように、位相補償ＦＩＦＯ１５の位相が周期的に毎フレーム補正される（デュアルポートＲＡＭ２０のリードアドレスとライトアドレスとが、毎フレーム、１２段のＦＩＦＯメモリのうちの対極するアドレスに設定される）ので、或るフレームで巨大なジッタ／ワンダが発生した場合や、或るフレームでリファレンス障害（図２のリファレンス信号発生器８０とビデオカメラ５０やスイッチャー１とを結ぶケーブルの接触不良等によってリファレンス信号が供給されなくなること）によって巨大なジッタ／ワンダに類似する現象が発生した場合にも、その次のフレームではそうした巨大なジッタ／ワンダの影響を排除して、ビデオカメラ５０とスイッチャー１との間の相対的なジッタ／ワンダを吸収することができる。
【００５３】
さらに、このように位相補償ＦＩＦＯ１５の位相が周期的に毎フレーム補正されるので、ビデオカメラ５０とスイッチャー１とに共通のリファレンス信号発生器８０（図２）からの外部リファレンス信号を供給する代わりに別々のリファレンス信号発生器からの外部リファレンス信号を供給する（すなわち、ビデオカメラ５０とスイッチャー１とで、外部リファレンス信号の周波数そのものが完全には一致していない）場合でも、ビデオカメラ５０とスイッチャー１との間の相対的なジッタ／ワンダを吸収することができる。
【００５４】
また、図５に示したように、位相補償ＦＩＦＯ１５内のデータ量の基準量との差分が、ジッタ／ワンダの量を複数段階のレベルに分類した値に変換されるので、メンテナンスを行うスタッフは、図６に例示したようなメンテナンス用端末５の画面表示から、ジッタ／ワンダの量や、その量が対策を必要とするような量であるか否かを、視覚的に容易に把握することができる。
【００５５】
なお、以上の例では、位相補償ＦＩＦＯ１５の位相を、毎フレーム補正している。しかし、別の例として、メンテナンス用端末５で、位相補償ＦＩＦＯ１５の位相を補正する周期を設定する操作や、この補正の実行の有無を選択する操作を行い、その操作結果に応じて位相補償ＦＩＦＯ１５の位相を補正するようにしてもよい。
【００５６】
また、以上の例では、スイッチャー１からメンテナンス用端末５にジッタ／ワンダの測定結果を送っており、ピークホールド回路１７のホールド時間の設定，ピークホールド値のクリアの操作もメンテナンス用端末５で行っている。しかし、別の例として、スイッチャー１自体の操作パネルで、ジッタ／ワンダの測定結果を画面表示したり、ピークホールド回路１７のホールド時間の設定，ピークホールド値のクリアの操作を行うようにしてもよい。
【００５７】
また、以上の例では、ＳＤＩ信号を入力するスイッチャーに本発明を適用しているが、ＳＤＩ以外のフォーマットの映像信号（例えばＤＶＢ−ＡＳＩ信号）を入力するスイッチャーにも本発明を適用してよい。
【００５８】
また、以上の例ではスイッチャーに本発明を適用しているが、本発明は、入力映像信号を外部リファレンス信号に同期して処理するあらゆる種類の映像機器に適用してよい。
【図面の簡単な説明】
【００５９】
【図１】ビデオ同期システムを例示するブロック図である。
【図２】本発明を適用したスイッチャーを組み込んだビデオ同期システムを示すブロック図である。
【図３】図２のスイッチャーのＳＤＩ入力回路の構成を示すブロック図である。
【図４】図３の位相補償ＦＩＦＯでの位相補償の様子を概念的に示す図である。
【図５】ＣＰＵによる絶対値Ｙの変換処理の内容を示す図である。
【図６】メンテナンス用端末でのジッタ／ワンダの測定結果の表示例を示す図である。
【符号の説明】
【００６０】
１  スイッチャー、  ２  ＳＤＩ入力回路、  ３  ＣＰＵ、  ４  ＬＡＮ、  ５  メンテナンス用端末、  １１  クロックリカバリユニット、  １２  Ｓ−Ｐ変換回路、  １５  位相補償ＦＩＦＯ、  １６  位相差判定回路、  １７  ピークホールド回路、  １８  復調回路、  ２０  デュアルポートＲＡＭ、  ２１  ライトアドレスジェネレータ、  ２２  アドレスコントローラ、  ２３  リードアドレスジェネレータ、  ６１  ＰＬＬ、  ６３  信号切替部、  ６４  ＳＤＩ出力回路、  ８０  リファレンス信号発生器
【図１】
2008148239.tif 000003
【図２】
2008148239.tif 000004
【図３】
2008148239.tif 000005
【図４】
2008148239.tif 000006
【図５】
2008148239.tif 000007
【図６】
2008148239.tif 000008